(57)【要約】【課題】  記憶媒体を用いて機器から他の機器へ情報を転送する際の操作性を向上させる。【解決手段】  転送元装置２は、記憶媒体１に転送対象のデータを書込むとともに、転送元装置２自身の識別子、転送先装置３の識別子、転送対象となるデータの識別子、転送先装置３における転送対象データの格納場所等を示す転送情報ファイルを生成し、転送情報ファイルを記憶媒体１に書き込み、転送先装置３は、記憶媒体１に接続した際に、記憶媒体１内の転送情報ファイルの内容に従って、転送対象データを読出し、記憶することにより、転送先装置３のユーザが転送対象データのデータ名の指定や格納場所の指定等の操作を行う必要がなく、ユーザの利便性を高めることが可能になる。【選択図】        図１
2007102437.tif 000002
【特許請求の範囲】
【請求項１】
所定の外部記憶媒体と接続し、転送対象の転送対象データを前記外部記憶媒体に書込むとともに、前記転送対象データの転送に関する情報を転送関連情報として生成し、生成した前記転送関連情報を前記外部記憶媒体に書込む第一の情報処理装置と、
前記外部記憶媒体と接続し、前記外部記憶媒体に記憶されている転送関連情報を読み出し、前記転送関連情報に従って、前記外部記憶媒体に記憶されている転送対象データを読み出し記憶する第二の情報処理装置とを有することを特徴とする情報処理システム。
【請求項２】
前記第一の情報処理装置は、
第二の情報処理装置の識別子を含む転送関連情報を生成し、
前記第二の情報処理装置は、
前記転送関連情報に自身の識別子に一致する識別子が含まれているか否かを判断し、一致する識別子が含まれている場合に、前記外部記憶媒体に記憶されている転送対象データを読み出し記憶することを特徴とする請求項１に記載の情報処理システム。
【請求項３】
前記第一の情報処理装置は、
前記第二の情報処理装置内の前記転送対象データの記憶場所を指示する記憶場所指示を含む転送関連情報を生成し、
前記第二の情報処理装置は、
前記転送関連情報に含まれている記憶場所指示で指示された記憶場所に、前記外部記憶媒体に記憶されている転送対象データを記憶することを特徴とする請求項１に記載の情報処理システム。
【請求項４】
前記第二の情報処理装置は、
前記転送対象データの記憶の成否を示す記憶成否情報を前記外部記憶媒体に書込み、
前記第一の情報処理装置は、
前記第二の情報処理装置により記憶成否情報が書込まれた後の前記外部記憶媒体と接続し、前記外部記憶媒体に記憶されている記憶成否情報を読み出し、前記記憶成否情報により前記第二の情報処理装置における前記転送対象データの記憶の成否を判別することを特徴とする請求項１に記載の情報処理システム。
【請求項５】
前記第二の情報処理装置は、
前記外部記憶媒体に記憶されている転送対象データを読み出し記憶するとともに、前記外部記憶媒体内の転送対象データの削除を行うことを特徴とする請求項１に記載の情報処理システム。
【請求項６】
前記第一の情報処理装置は、
前記転送対象データの転送形態として、前記第二の情報処理装置に対して前記転送対象データの移動及びコピーのいずれかを指示する処理指示を含む転送関連情報を生成し、
前記第二の情報処理装置は、
前記転送関連情報に含まれている前記処理指示を解析し、前記処理指示において前記転送対象データの移動が指示されていた場合に、前記外部記憶媒体に記憶されている転送対象データを読み出し記憶するとともに、前記外部記憶媒体内の転送対象データの削除を行うことを特徴とする請求項５に記載の情報処理システム。
【請求項７】
前記第一の情報処理装置は、
前記外部記憶媒体から記憶成否情報を読み出した結果、前記第二の情報処理装置において前記転送対象データの記憶が成功したことを判別した場合に、第一の情報処理装置内に存在する転送対象データの削除を行うことを特徴とする請求項４に記載の情報処理システム。
【請求項８】
前記第一の情報処理装置は、
転送対象データの識別子を含む転送関連情報を生成し、
前記外部記憶媒体から記憶成否情報を読み出した結果、前記第二の情報処理装置において前記転送対象データの記憶が成功したことを判別した場合に、前記転送関連情報に含まれている前記転送対象データの識別子に従って、第一の情報処理装置内に存在する転送対象データの削除を行うことを特徴とする請求項７に記載の情報処理システム。
【請求項９】
前記第一の情報処理装置は、
前記転送関連情報において、前記転送対象データの転送形態として、前記転送対象データの前記第二の情報処理装置への移動を指示する場合があり、
前記転送対象データの前記第二の情報処理装置への移動を指示した場合に、前記外部記憶媒体から記憶成否情報を読み出した結果、前記第二の情報処理装置において前記転送対象データの記憶が成功したことを判別した場合に、第一の情報処理装置内に存在する転送対象データの削除を行うことを特徴とする請求項７に記載の情報処理システム。
【請求項１０】
前記第一の情報処理装置は、
第一の情報処理装置の識別子を含む転送関連情報を生成し、
前記第二の情報処理装置により記憶成否情報が書込まれた後の前記外部記憶媒体に接続した場合に、前記転送関連情報に自身の識別子に一致する識別子が含まれているか否かを判断し、一致する識別子が含まれている場合に、前記外部記憶媒体に記憶されている前記記憶成否情報を読み出すことを特徴とする請求項４に記載の情報処理システム。
【請求項１１】
前記第一の情報処理装置は、
前記転送対象データ及び前記転送関連情報を前記外部記憶媒体に書込むとともに、転送ステータスとして前記転送対象データが転送中である旨を記憶することを特徴とする請求項１に記載の情報処理システム。
【請求項１２】
前記第一の情報処理装置は、
前記外部記憶媒体から記憶成否情報を読み出した結果、前記第二の情報処理装置において前記転送対象データの記憶が成功したことを判別した場合に、転送ステータスとして前記転送対象データが転送済である旨を記憶することを特徴とする請求項４に記載の情報処理システム。
【請求項１３】
前記第一の情報処理装置は、
前記外部記憶媒体として、可搬記憶媒体と接続し、転送対象データと転送関連情報を前記可搬記憶媒体に書込み、
前記第二の情報処理装置は、
前記可搬記憶媒体に接続し、前記可搬記憶媒体に記憶されている転送関連情報を読み出し、前記転送関連情報に従って、前記可搬記憶媒体に記憶されている転送対象データを読み出し記憶するとことを特徴とする請求項１に記載の情報処理システム。
【請求項１４】
転送対象の転送対象データを記憶するデータ記憶部と、
前記転送対象データの転送に関する情報を転送関連情報として生成する転送関連情報生成部と、
所定の外部記憶媒体と接続し、前記転送対象データと前記転送関連情報を前記外部記憶媒体に書込む記憶媒体インタフェース部とを有することを特徴とする情報処理装置。
【請求項１５】
前記転送関連情報生成部は、
前記転送対象データの転送先となる転送先装置の識別子を含む転送関連情報を生成することを特徴とする請求項１４に記載の情報処理装置。
【請求項１６】
前記転送関連情報生成部は、
前記転送対象データの転送先となる転送先装置内の前記転送対象データの記憶場所を指示する記憶場所指示を含む転送関連情報を生成することを特徴とする請求項１４に記載の情報処理装置。
【請求項１７】
前記記憶媒体インタフェース部は、
前記転送対象データの転送先となる転送先装置における前記転送対象データの記憶の成否を示す記憶成否情報が書込まれた後の前記外部記憶媒体に接続し、前記外部記憶媒体に記憶されている記憶成否情報を読み出し、
前記情報処理装置は、更に、
前記記憶媒体インタフェース部により読み出された前記記憶成否情報を解析して前記転送先装置における前記転送対象データの記憶の成否を判別する成否判別部とを有することを特徴とする請求項１４に記載の情報処理装置。
【請求項１８】
前記データ記憶部は、
前記成否判別部が前記転送先装置において前記転送対象データの記憶が成功したことを判別した場合に、記憶している転送対象データの削除を行うことを特徴とする請求項１７に記載の情報処理装置。
【請求項１９】
前記転送関連情報生成部は、
転送対象データの識別子を含む転送関連情報を生成し、
前記データ記憶部は、
前記成否判別部が前記転送先装置において前記転送対象データの記憶が成功したことを判別した場合に、前記転送関連情報に含まれている前記転送対象データの識別子に従って、記憶している転送対象データの削除を行うことを特徴とする請求項１８に記載の情報処理装置。
【請求項２０】
前記転送関連情報生成部は、
前記転送関連情報において、前記転送対象データの転送形態として、前記転送対象データの前記転送先装置への移動を指示する場合があり、
前記データ記憶部は、
前記転送関連情報生成部が前記転送対象データの前記転送先装置への移動を指示し、前記成否判別部が前記転送先装置において前記転送対象データの記憶が成功したことを判別した場合に、記憶している転送対象データの削除を行うことを特徴とする請求項１８に記載の情報処理装置。
【請求項２１】
前記転送関連情報生成部は、
情報処理装置の識別子を含む転送関連情報を生成し、
前記成否判別部は、
前記記憶媒体インタフェース部が前記記憶成否情報が書込まれた後の前記外部記憶媒体に接続した場合に、前記転送関連情報に自情報処理装置の識別子に一致する識別子が含まれているか否かを判断し、一致する識別子が含まれている場合に、前記外部記憶媒体に記憶されている前記記憶成否情報を解析することを特徴とする請求項１７に記載の情報処理装置。
【請求項２２】
前記データ記憶部は、
前記記憶媒体インタフェース部により前記転送対象データ及び前記転送関連情報が前記外部記憶媒体に書込まれた際に、転送ステータスとして前記転送対象データが転送中である旨を記憶することを特徴とする請求項１４に記載の情報処理装置。
【請求項２３】
前記データ記憶部は、
前記成否判別部が前記転送先装置において前記転送対象データの記憶が成功したことを判別した場合に、転送ステータスとして前記転送対象データが転送済である旨を記憶することを特徴とする請求項１７に記載の情報処理装置。
【請求項２４】
前記記憶媒体インタフェース部は、
前記外部記憶媒体として、可搬記憶媒体と接続し、転送対象データと転送関連情報を前記可搬記憶媒体に書込むことを特徴とする請求項１４に記載の情報処理装置。
【請求項２５】
転送対象の転送対象データと、前記転送対象データの転送に関する転送関連情報を記憶している外部記憶媒体と接続し、前記外部記憶媒体に記憶されている前記転送対象データと前記転送関連情報を読み出す記憶媒体インタフェース部と、
前記記憶媒体インタフェース部から読み出された前記転送関連情報を解析し、解析結果に基づいて前記転送対象データに対する処置内容を指示する解析指示部と、
前記解析指示部により前記転送対象データに対する処置内容として前記転送対象データの記憶が指示された場合に、前記転送対象データを記憶するデータ記憶部とを有することを特徴とする情報処理装置。
【請求項２６】
前記記憶媒体インタフェース部は、
前記転送対象データの転送先として情報処理装置の識別子が含まれている転送関連情報を記憶している外部記憶媒体と接続する場合があり、
前記解析指示部は、
前記転送関連情報に自情報処理装置の識別子に一致する識別子が含まれているか否かを判断し、一致する識別子が含まれている場合に、前記転送対象データの記憶を指示することを特徴とする請求項２５に記載の情報処理装置。
【請求項２７】
前記記憶媒体インタフェース部は、
情報処理装置内の前記転送対象データの記憶場所を指示する記憶場所指示が含まれる転送関連情報を記憶している外部記憶媒体と接続する場合があり、
前記解析指示部は、
前記転送関連情報に含まれている記憶場所指示で指示された記憶場所に、前記転送対象データを記憶するよう指示し、
前記データ記憶部は、
前記解析指示部により指示された記憶場所に前記転送対象データを記憶することを特徴とする請求項２５に記載の情報処理装置。
【請求項２８】
前記解析指示部は、
前記転送対象データの記憶の成否を示す記憶成否情報を生成し、
前記記憶媒体インタフェース部は、
前記解析指示部により生成された記憶成否情報を前記外部記憶媒体に書込むことを特徴とする請求項２５に記載の情報処理装置。
【請求項２９】
前記記憶媒体インタフェース部は、
前記外部記憶媒体に記憶されている転送対象データを読み出すとともに、前記外部記憶媒体内の転送対象データの削除を行うことを特徴とする請求項２５に記載の情報処理装置。
【請求項３０】
前記記憶媒体インタフェース部は、
前記転送対象データの転送形態として、前記転送対象データの移動及びコピーのいずれかを指示する処理指示が含まれた転送関連情報を記憶している外部記憶媒体と接続する場合があり、
前記解析指示部は、
前記転送関連情報に含まれている前記処理指示を解析し、前記処理指示において前記転送対象データの移動が指示されていた場合に、前記記憶媒体インタフェース部に前記外部記憶媒体内の転送対象データの削除を指示し、
前記記憶媒体インタフェース部は、
前記解析指示部の指示に従って、前記外部記憶媒体内の転送対象データの削除を行うことを特徴とする請求項２９に記載の情報処理装置。
【請求項３１】
前記記憶媒体インタフェース部は、
前記外部記憶媒体として、可搬記憶媒体と接続し、転送対象データと転送関連情報を前記可搬記憶媒体から読み出すことを特徴とする請求項２５に記載の情報処理装置。
【請求項３２】
所定の外部記憶媒体と接続する記憶媒体接続ステップと、
転送対象の転送対象データの転送に関する情報を転送関連情報として生成する転送関連情報生成ステップと、
前記転送対象データと前記転送関連情報を前記外部記憶媒体に書込む書き込みステップとを有することを特徴とする情報処理方法。
【請求項３３】
転送対象の転送対象データと、前記転送対象データの転送に関する転送関連情報を記憶している外部記憶媒体と接続する記憶媒体接続ステップと、
前記外部記憶媒体に記憶されている前記転送関連情報を読み出す読出しステップと、
前記読出しステップにより読み出された前記転送関連情報を解析し、解析結果に基づいて前記転送対象データに対する処置内容を指示する解析指示ステップと、
前記解析指示ステップにより前記転送対象データに対する処置内容として前記転送対象データの記憶が指示された場合に、前記転送対象データを前記外部記憶媒体から読み出すとともに前記転送対象データを記憶するデータ記憶ステップとを有することを特徴とする情報処理方法。
【発明の詳細な説明】
【技術分野】
【０００１】
本発明は、記憶媒体を用いて機器から他の機器へ情報を転送する際の操作性を高める技術に関する。
【背景技術】
【０００２】
近年、コンパクトフラッシュ、ＳＤ（Ｓｅｃｕｒｅ  Ｄｉｇｉｔａｌ）カード、メモリスティック、ＵＳＢ（Ｕｎｉｖｅｒｓａｌ  Ｓｅｒｉａｌ  Ｂｕｓ）メモリなどのポータブルな記憶媒体が普及しており、ＰＣ（Ｐｅｒｓｏｎａｌ  Ｃｏｍｐｕｔｅｒ）、デジタルカメラや携帯電話などの機器間でファイルを転送するために広く用いられている。
【０００３】
従来、記憶媒体を用いて機器から他の機器へ情報を転送するには、ユーザによって転送元機器から記憶媒体へファイルのコピー操作を行った後、記憶媒体を転送先機器へ差し替え、再びユーザによって記憶媒体から転送先機器へファイルをコピーする操作を行っていた。
【０００４】
特開２０００−２４２５３９号公報には、転送先ＰＣ上の保存先ディレクトリの情報やコピー対象となるファイルを含む実行ファイルを転送元ＰＣ上で作成し、この実行ファイルをメモリカードへ保存し、ユーザ操作により転送先ＰＣ上で実行すると実行ファイルに記載された保存先ディレクトリへファイルがコピーされる方式が開示されている。
【０００５】
特開２００４−３４８２２９号公報には、転送元機器と共有ディスク、転送先機器と共有ディスクがそれぞれ接続された構成において、転送元機器による共有ディスクへの書き込みを転送先機器が監視し、共有ディスクへ書き込まれたファイルを転送先機器が読み出すことによって転送元機器から転送先機器へファイルを転送する方式が開示されている。
【０００６】
特開２００４−３３４６０９号公報、特開２００３−２４２４５９号公報、及び特開２００３−２７１４３４号公報には、機器に記憶媒体が接続されると記憶媒体内の特定のディレクトリやファイルを自動的に実行する方式が開示されている。
【特許文献１】特開２００４−３４８２２９号公報  第１６頁、第１図
【特許文献２】特開２０００−２４２５３９号公報  第７頁、第５図、第６図
【特許文献３】特開２００４−３３４６０９号公報  第１２頁、第４図
【特許文献４】特開２００３−２４２４５９号公報  第６頁、第２図
【特許文献５】特開２００３−２７１４３４号公報  第５頁、第３図
【発明の開示】
【発明が解決しようとする課題】
【０００７】
従来、記憶媒体を用いて機器から他の機器へ情報を転送するには、転送元機器と転送先機器の２つの機器上で操作を行う必要があり、操作がわずらわしいという問題があった。これは特に転送先機器の画面が小さいなどで操作しにくい場合に問題になる。
【０００８】
また、データを移動する場合には、転送先機器へデータをコピーした後、転送元機器でデータを削除するわずらわしい操作が必要であった。また、記憶媒体にも転送データが残ってしまうので、記憶媒体上のデータを削除するというわずらわしい操作が必要であった。また、機密性の高いデータの場合、データを複数の箇所に残しておくことは好ましくない。
【０００９】
また、転送元機器にはファイルを転送先機器へコピーしたのかという情報が残らないので、どのファイルが転送先機器へコピー済みなのかわかりにくいという問題があった。これは特に転送元機器と転送先機器が異なる場所にある場合に、ファイルを直接比較できないため問題になる。
【００１０】
この発明は、上記のような問題点を解決することを主な目的とし、転送先機器での操作を少なくすること、転送元機器でユーザがファイルをコピー済みであるか否か認識できるようにすること、転送後に不要なファイルを自動的に削除すること、を主な目的とする。
【課題を解決するための手段】
【００１１】
本発明に係る情報処理システムは、
所定の外部記憶媒体と接続し、転送対象の転送対象データを前記外部記憶媒体に書込むとともに、前記転送対象データの転送に関する情報を転送関連情報として生成し、生成した前記転送関連情報を前記外部記憶媒体に書込む第一の情報処理装置と、
前記外部記憶媒体と接続し、前記外部記憶媒体に記憶されている転送関連情報を読み出し、前記転送関連情報に従って、前記外部記憶媒体に記憶されている転送対象データを読み出し記憶する第二の情報処理装置とを有することを特徴とする。
【発明の効果】
【００１２】
本発明によれば、転送元である第一の情報処理装置が、転送関連情報を外部記憶媒体へ書き込み、転送先である第二の情報処理装置が外部記憶媒体と接続した際に、転送関連情報に従って転送対象データの読出し及び記憶処理を行うので、転送先のユーザが転送対象データのデータ名の指定や格納場所の指定等の操作を行う必要がなく、ユーザの利便性を高めることが可能になる。
【発明を実施するための最良の形態】
【００１３】
実施の形態１．
図１〜図１２を使用して実施の形態１を説明する。
【００１４】
本実施の形態１では、例えばＰＣなどの装置内に格納されたデータを、別のＰＣなどの装置へ、メモリカード等の外部記憶媒体を介して移動する場合を想定している。
【００１５】
図１は、この発明の実施の形態１における記憶媒体を介したデータ転送システムの構成図である。図１に示すように、記憶媒体を介したデータ転送システムは、記憶媒体１（外部記憶媒体）、転送元装置２（第１の情報処理装置）、転送先装置３（第２の情報処理装置）を備える。
【００１６】
記憶媒体１は、各種データを格納するものであり、記憶媒体１の具体的な例としてはＦＤ（Ｆｌｅｘｉｂｌｅ  Ｄｉｓｋ）などの磁気ディスク、磁気テープ、光ディスク、ＳＤカードやメモリスティックなどに代表されるメモリカード、ＵＳＢメモリ、ＩＣカード、ハードディスク装置などがある。
【００１７】
図２は、転送元装置２及び転送先装置３のハードウェア構成例を示す図である。
【００１８】
転送元装置２及び転送先装置３は、通常の情報処理装置と同様の構成である。図２において、４１は、装置内部のシステムバスである。４２はプログラムを実行するＣＰＵ（Ｃｅｎｔｒａｌ  Ｐｒｏｃｅｓｓｉｎｇ  Ｕｎｉｔ）である。４３はＲＡＭ（メモリ）である。ＲＡＭ４３は、揮発性メモリの一例である。４４はハードディスクドライブである。ハードディスクドライブ４４は、不揮発性メモリの一例である。４５は、ＦＤ、ＵＳＢメモリ等の記憶媒体のインタフェースとなる記憶媒体Ｉ／Ｆである。４６はディスプレイインタフェースを介して接続されるＣＲＴ（Ｃａｔｈｏｄｅ  Ｒａｙ  Ｔｕｂｅ）等の表示装置である。４７はキーボード等の入力Ｉ／Ｆである。
【００１９】
ハードディスクドライブ４４には、オペレーティングシステム（ＯＳ）、ウィンドウシステム、プログラム群、ファイル群などが記憶されている。プログラム群は、ＣＰＵ４２、ＯＳ、ウィンドウシステムにより実行される。
【００２０】
上記プログラム群として、以下の説明において「〜部」として説明する機能を実行するプログラムが記憶されている。プログラムは、ＣＰＵにより読み出され実行される。
【００２１】
また、ファイル群として、後述するデータファイル、データ転送状態管理ファイルなどが記憶されている。
【００２２】
また、以下に述べる実施の形態の説明において「〜部」として説明するものは、図示していないＲＯＭ（Ｒｅａｄ  Ｏｎｌｙ  Ｍｅｍｏｒｙ）に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００２３】
また、以下に述べる実施の形態を実施するプログラムは、また、磁気ディスク装置、ＦＤ、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記憶媒体による記録装置を用いて記憶されても構わない。
【００２４】
次に、図３を参照して、転送元装置２の機能ブロックを説明する。
【００２５】
転送元装置２は、転送元記憶部２１（データ記憶部）、転送元記憶媒体インタフェース部２２（記憶媒体インタフェース部）、転送元コントロール部２３（転送関連情報生成部、成否判別部）、転送元表示操作部２４、転送元装置ＩＤ部２５などを備える。
【００２６】
転送元記憶部２１は、各種データを記憶するものであり、本実施の形態１ではファイルを格納するものとして説明する。
【００２７】
転送元記憶媒体インタフェース部２２は、外部に接続された記憶媒体１の接続、切断を検出し、記憶媒体１の各種データの読み書きを行う。
【００２８】
転送元コントロール部２３は、転送元装置２内の全体動作を制御する。また、転送元コントロール部２３は、後述する転送情報ファイルを生成し、また、転送先装置３においてデータの転送が成功したか否かを判断する。
【００２９】
転送元表示操作部２４は、ユーザへ情報を表示したり、ユーザからの操作を受けたりする。
【００３０】
転送元装置ＩＤ部２５は、転送元装置２を識別するための装置ＩＤを格納したものであり、本実施の形態では装置ＩＤとして”ＡＡ１２３４５”が格納されているとして説明する。
【００３１】
転送元装置２の具体的な例としては、例えば、ＰＣ（パーソナルコンピュータ）、ＰＤＡ（Ｐｅｒｓｏｎａｌ  Ｄｉｇｉｔａｌ  Ａｓｓｉｓｔａｎｔ）や携帯電話端末、デジタルカメラなどである。
【００３２】
次に、図４を参照して、転送先装置３の機能ブロックを説明する。
【００３３】
転送先装置３は、転送先記憶部３１（データ記憶部）、転送先記憶媒体インタフェース部３２（記憶媒体インタフェース部）、転送先コントロール部３３（解析指示部）、転送先表示操作部３４、転送先装置ＩＤ部３５などを備える。
【００３４】
転送先記憶部３１は、各種データを記憶するものであり、本実施の形態１ではファイルを格納するものとして説明する。
【００３５】
転送先記憶媒体インタフェース部３２は、外部に接続された記憶媒体１の接続、切断を検出し、記憶媒体１の各種データの読み書きを行う。
【００３６】
転送先コントロール部３３は、転送先装置３内の全体動作を制御する。また、転送先コントロール部３３は、記憶媒体に記憶されている転送情報ファイルの内容を解析し、転送対象のデータに対する処理を転送先記憶部３１等に指示する。
【００３７】
転送先表示操作部３４は、ユーザへ情報を表示したり、ユーザからの操作を受けたりする。
【００３８】
転送先装置ＩＤ部３５は、転送先装置３を識別するための装置ＩＤを格納したものであり、本実施の形態１では装置ＩＤとして”ＢＢ９８７６５”が格納されているとして説明する。
【００３９】
転送先装置３の具体的な例としては、例えば、ＰＣ（パーソナルコンピュータ）、ＰＤＡ（Ｐｅｒｓｏｎａｌ  Ｄｉｇｉｔａｌ  Ａｓｓｉｓｔａｎｔ）や携帯電話端末、デジタルカメラなどである。
【００４０】
本実施の形態１では、転送元装置２から転送先装置３へデータを「移動」する場合を例に説明する。また、ここではデータの一種としてファイルを転送する場合を例として説明する。
【００４１】
図５は、実施の形態１の全体的な動作シーケンスを表したものである。
【００４２】
まず、転送元装置２が移動対象となるデータファイルを記憶媒体１に書き込む動作（Ｓ１０１〜Ｓ１０５）について、図６も参照しながら説明する。
【００４３】
記憶媒体１と転送元装置２とを接続し（Ｓ１０１、記憶媒体接続ステップ）、接続した状態で、ユーザが転送元表示操作部２４により操作し、データファイルを転送先装置３へ転送するよう指示する（Ｓ１０２）。
【００４４】
図７に転送元表示操作部２４により表示される操作画面の例を示す。
【００４５】
１０１は、転送対象となるデータファイルを指定するフィールドである。
【００４６】
１０２は、転送先装置３を示す装置ＩＤを指定するフィールドであり、この例では転送先装置３の転送先装置ＩＤ部３５に格納された装置ＩＤ（ＢＢ９８７６５）が入力されている。
【００４７】
１０３は、転送先装置３でデータファイルを保存する際のファイル名を指定するフィールドである。
【００４８】
１０４は、転送元装置２から転送先装置３へデータファイルを「コピー」するのか、それとも「移動」するのかの動作を選択する動作種別フィールドである。「コピー」の場合には、本動作完了後に転送対象のデータファイルは転送元装置２から削除されない。「移動」の場合には、データファイルは転送元装置２から削除される。
【００４９】
１０５はデータファイルの記憶媒体１への書き込みの実行を指示する実行ボタンであり、
１０６は中止を指示する中止ボタンである。
【００５０】
転送元表示操作部２４により実行ボタン１０５がユーザによって操作されると（Ｓ１０２）、転送元コントロール部２３は、転送対象データファイル名フィールド１０１によって指定されたデータファイルを転送元記憶部２１内から読み出し、転送元記憶媒体インタフェース部２２を介してそのコピーを記憶媒体１へ書き込む（Ｓ１０３）。更に、転送情報ファイル（転送関連情報）を生成し、生成した転送情報ファイルを記憶媒体１へ書き込む（Ｓ１０４、転送関連情報生成ステップ、書き込みステップ）。
【００５１】
図８は、この書き込み処理が行われた後の記憶媒体１内のディレクトリ構造の例を表しており、この例では最上位に”ＦＩＬＥＴＲＡＮＳＦＥＲ”という名称のディレクトリがあり、
その中にデータファイルである”ＤＡＴ００００１．ｄａｔ”と転送情報ファイルである”ＩＮＦ００００１．ｉｎｆ”が保存されている。
【００５２】
本実施の形態１においては、”ＦＩＬＥＴＲＡＮＳＦＥＲ”ディレクトリはデータファイルと転送情報ファイルが保存されるディレクトリである。
【００５３】
データファイル”ＤＡＴ００００１．ｄａｔ”は、転送対象データファイル名フィールド１０１によって指定されたファイルがコピーされたものであり、このファイル名は”ＦＩＬＥＴＲＡＮＳＦＥＲ”ディレクトリ内の他のファイルと重複しないように命名される。
【００５４】
転送情報ファイル”ＩＮＦ００００１．ｉｎｆ”は、図７の画面で入力された転送条件に従って作成されたものであり、このファイル名は”ＦＩＬＥＴＲＡＮＳＦＥＲ”ディレクトリ内の他のファイルと重複しないよう、拡張子が”．ｉｎｆ”となるよう命名される。
【００５５】
図９に転送情報ファイルの例を示す。
【００５６】
ＣＯＭＭＡＮＤ項目２０１は、転送形態を指示する処理指示である。本明細書では、転送形態として「コピー」と「移動」の２種類の転送を想定している。図７における動作種別フィールド１０４の入力によって、転送元装置２から転送先装置３へファイルを「コピー」する場合は”ＣＯＰＹ”、「移動」する場合は”ＭＯＶＥ”の値をとる。この例では、移動（”ＭＯＶＥ”）することが示されている。
【００５７】
ＳＯＵＲＣＥＤＥＶＩＣＥ項目２０２は、転送元装置２の装置ＩＤを示しており、転送元装置ＩＤ部２５に格納された値である。
【００５８】
ＳＯＵＲＣＥＦＩＬＥ項目２０３は、転送対象のデータの識別子であり、転送元装置２におけるデータファイルのファイル名を示しており、図７における転送対象データファイル名フィールド１０１に入力された値である。
【００５９】
ＴＲＡＮＳＦＥＲＦＩＬＥ項目２０３は、記憶媒体１にコピーされたデータファイルのファイル名を示しており、この例では”ＤＡＴ００００１．ｄａｔ”である。
【００６０】
ＤＥＳＴＩＮＡＴＩＯＮＤＥＶＩＣＥ項目２０５は、転送先装置３の装置ＩＤを示しており、図７における転送先装置ＩＤフィールド１０２に入力された値である。
【００６１】
ＤＥＳＴＩＮＡＴＩＯＮＦＩＬＥ項目２０６は、転送先装置３でデータファイルを保存するファイル名を示しており、図７における転送先ファイル名フィールド１０３に入力された値である。また、ＤＥＳＴＩＮＡＴＩＯＮＦＩＬＥ項目２０６は、転送先装置３における転送対象データの保存先（記憶場所）を指示しており、記憶場所指示の例である。
【００６２】
転送元装置２から記憶媒体１へデータファイルと転送情報ファイルの書き込みが完了したら、転送元装置２と記憶媒体１を切断する（Ｓ１０５）。
【００６３】
次に、記憶媒体１からデータファイルを転送先装置３へ書き込む動作（Ｓ２０１〜Ｓ２０７）について、図１０も参照しながら説明する。
【００６４】
記憶媒体１と転送先装置３とを接続し（Ｓ２０１、記憶媒体接続ステップ）、転送先記憶媒体インタフェース部３２は接続を検出し、自動的に転送先装置３は記憶媒体１内の”ＦＩＬＥＴＲＡＮＳＦＥＲ”ディレクトリ内にある転送情報ファイルを読み出す（Ｓ２０２、読出しステップ）。尚、転送情報ファイルは、その拡張子（”．ｉｎｆ”）で識別する。
【００６５】
そして、転送先コントロール部３３は、転送情報ファイルのＤＥＳＴＩＮＡＴＩＯＮＤＥＶＩＣＥ項目の値（装置ＩＤ）が転送先装置３の転送先装置ＩＤ部３５に格納されている装置ＩＤと一致するか否かチェックする（Ｓ２０３、解析指示ステップ）。
【００６６】
一致しない場合（ＮＧ）には、この転送先装置３に対して転送を指示されたものではないので、以降のＳ２０４からＳ２０６の処理を行なわない。
【００６７】
この例においては、転送情報ファイルのＤＥＳＴＩＮＡＴＩＯＮＤＥＶＩＣＥ項目の値”ＢＢ９８７６５”と転送先装置３の転送先装置ＩＤ部３５の値”ＢＢ９８７６５”が一致するので、転送先コントロール部３３は、転送対象のデータファイルのコピー処理を指示し、Ｓ２０４へ移る。
【００６８】
データファイルのコピー処理（Ｓ２０４）では、転送情報ファイルのＴＲＡＮＳＦＥＲＦＩＬＥ項目で指定された記憶媒体１内のデータファイル（この例では”ＤＡＴ００００１．ｄａｔ”）を、ＤＥＳＴＩＮＡＴＩＯＮＦＩＬＥ項目の値（この例では”Ｃ：￥Ｈｏｍｅ￥ＢＢＢ￥ｄａｔａ１．ｄａｔ”）をファイル名として転送先記憶部３１にコピーし記憶する（データ記憶ステップ）。
【００６９】
次に、記憶媒体１上の転送情報ファイルを更新する（Ｓ２０５）。この例における更新後の転送情報ファイルを図１１に示す。
【００７０】
図１１の例では、転送元装置２で書き込まれた転送情報ファイル（図９）に対して、転送結果を示すＲＥＳＵＬＴ項目が追加されており、この例では転送先装置３へのデータファイルのコピー処理が成功したことを示す”ＳＵＣＣＥＳＳ”となっている。このＲＥＳＵＬＴ項目は、転送先装置３における転送対象のデータファイルの記憶の成否を示しており、記憶成否情報に相当する。
【００７１】
次に、記憶媒体１から転送先装置３へコピーされ不要となったデータファイルを記憶媒体１から削除する（Ｓ２０６）。
【００７２】
そして、記憶媒体１と転送先装置３を切断する（Ｓ２０７）。
【００７３】
次に、転送元装置２が記憶媒体１の転送情報ファイルに追加された転送結果を読み込む動作（Ｓ３０１〜Ｓ３０８）について、図１２も参照しながら説明する。
【００７４】
記憶媒体１を転送元装置２へ接続すると（Ｓ３０１）、転送元装置２の転送元記憶媒体インタフェース部２２はそれを検出し、転送元装置２は自動的に記憶媒体１内の”ＦＩＬＥＴＲＡＮＳＦＥＲ”ディレクトリ内にある転送情報ファイルを読み出す（Ｓ３０２）。
【００７５】
そして、転送元コントロール部２３が、転送情報ファイルのＳＯＵＲＣＥＤＥＶＩＣＥ項目２０２をチェックする（Ｓ３０３）。
【００７６】
ＳＯＵＲＣＥＤＥＶＩＣＥ項目２０２の値（装置ＩＤ）が転送元装置２の転送元装置ＩＤ部２５の値と一致しない場合には、以降のＳ３０４からＳ３０７の処理は行わない。一致する場合には、次のＲＥＳＵＬＴ項目の確認処理（Ｓ３０４）へ移る。
【００７７】
この例においては、転送情報ファイルのＳＯＵＲＣＥＤＥＶＩＣＥ項目２０２の値”ＡＡ１２３４５”と転送元装置２の転送元装置ＩＤ部２５の値”ＡＡ１２３４５”が一致するのでＲＥＳＵＬＴ項目の確認処理へ移る。
【００７８】
次に、転送元コントロール部２３は、転送情報ファイルのＲＥＳＵＬＴ項目２０７をチェックし（Ｓ３０４）、ＲＥＳＵＬＴ項目が”ＳＵＣＣＥＳＳ”でない場合には、以降のＳ３０５からＳ３０７の処理は行わない。
【００７９】
ＲＥＳＵＬＴ項目が”ＳＵＣＣＥＳＳ”の場合には、転送先装置３におけるデータ転送が成功したので、次に転送情報ファイルのＣＯＭＭＡＮＤ項目をチェック（Ｓ３０５）する。
【００８０】
ＣＯＭＭＡＮＤ項目が”ＭＯＶＥ”の場合は、データファイルを転送元装置２から転送先装置３へ移動することを意味しているので、転送元装置２内の転送元記憶部２１からＳＯＵＲＣＥＦＩＬＥ項目２０３で示されるファイル（この場合”ＳＯＵＲＣＥＦＩＬＥ＝Ｃ：￥Ｈｏｍｅ￥ＡＡＡ￥ｄａｔａ１．ｄａｔ”）を削除する（Ｓ３０６）。
【００８１】
ＣＯＭＭＡＮＤ項目が”ＣＯＰＹ”の場合は、転送元装置２からファイルを削除する処理は行わない。
【００８２】
そして、記憶媒体１と転送元装置２を切断する（Ｓ３０８）。
【００８３】
このように、本実施の形態に係るデータ転送システムでは、転送元装置で転送データに関する情報を転送データとともに記憶媒体へ保存し、転送先装置ではその転送データに関する情報を読み込んで転送処理を行うことを特徴とする。
【００８４】
また、転送元装置が、転送先装置での保存先を転送データとともに記憶媒体へ保存し、転送先装置はその保存先へデータを保存することを特徴とする。
【００８５】
更には、転送元装置が、転送先装置の識別子を転送データとともに記憶媒体へ保存し、転送先装置はその識別子をチェックして転送処理を行うか否か判断することを特徴とする。
【００８６】
また、転送先装置で、転送データを記憶媒体から読み込んだ後、記憶媒体上の転送データを削除することを特徴とする。
【００８７】
また、転送先装置で、転送データに対する処理（転送先装置へのコピー）結果を、記憶媒体上に保存することを特徴とする。
【００８８】
また、転送元装置で、転送先装置での処理結果を記憶媒体から読み込み、転送先装置での処理結果が成功の場合に、転送元装置上の転送データを削除することを特徴とする。
【００８９】
また、転送元装置で、記憶媒体上に記録された動作モードをチェックし、「移動」の場合に転送データを削除することを特徴とする。
【００９０】
また、転送元装置が、転送元装置の識別子を転送データとともに記憶媒体へ保存し、転送先装置はその識別子をチェックして、転送結果に応じた処理を行うか否か判断することを特徴とする。
【００９１】
また、転送元装置で、転送元装置上での転送データの識別子（ファイル名）を記憶媒体上に記録しておき、転送元装置に記憶媒体が接続された際にその転送データの識別子に対応するデータを転送元装置上で削除することを特徴とする。
【００９２】
以上のように、本実施の形態１によれば、転送先装置３での転送先ファイル名などを含む転送情報ファイルを転送元装置２で記憶媒体へ保存しておき、転送先装置３に記憶媒体１が接続された際には転送情報ファイルに従って転送処理を行うので、転送先装置で記憶媒体１内のファイル名の指定や転送先装置３内のファイル名の指定などの煩雑なコピー操作をユーザは行う必要がない。
【００９３】
また、転送先装置では転送情報ファイルに記載された転送先装置の装置ＩＤをチェックし、自装置に対するデータファイルであることを確認して転送するので、誤って他の端末へ転送してしまう恐れがない。
【００９４】
また、記憶媒体１から転送先装置３へデータファイルをコピーした後、記憶媒体１上のデータファイルは自動的に削除されるので、記憶媒体１にファイルが残ってしまうことで記憶媒体１の容量を圧迫されない。
また、ユーザにより記憶媒体１上のデータファイルを削除する操作を行う必要がない。
また、ファイルが機密情報であった場合には、不要なファイルが残らないことでセキュリティが高まる。
【００９５】
また、記憶媒体１から転送先装置３へデータファイルをコピーした後、記憶媒体１上のデータファイルは自動的に削除されるので、記憶媒体１にファイルが残ってしまうことで記憶媒体１の容量を圧迫されない。
また、ユーザにより記憶媒体１上のデータファイルを削除する操作を行う必要がない。
また、ファイルが機密情報であった場合には、不要なファイルが残らないことでセキュリティが高まる。
【００９６】
また、データファイルの移動の場合には、記憶媒体１から転送先装置３へデータファイルをコピーした結果を、記憶媒体１上の転送情報ファイルに記録しておき、転送情報ファイルに記録された結果が成功の場合にのみ転送元装置２からデータファイルが自動的に削除される。
【００９７】
そのため、ユーザは転送元装置２上で特別な操作を行わなくても、自動的に移動元のデータファイルは削除される。
【００９８】
また、転送先装置３へのコピーが成功した後にのみ、転送元装置２から移動元のデータファイルが削除されるので、転送先装置３へデータファイルをコピーする前にデータファイルを保存した記憶媒体１を紛失したような場合に転送元装置２内のデータファイルが失われる心配がない。
【００９９】
尚、ここでは転送元装置２から転送先装置３へ、データファイルを「移動」する場合について説明したが、「コピー」も同様の方法で可能である。処理の異なるのは次の点である。
１．図７の動作種別フィールド１０４で「コピー」を選択する。
２．転送元装置で記憶媒体１へ書き込む（Ｓ１０４）際、転送情報ファイルのＣＯＭＭＡＮＤ項目２０１の値を”ＣＯＰＹ”にする。
３．転送元装置で転送情報ファイルのＣＯＭＭＡＮＤ項目２０１の値をチェック（Ｓ３０５）する際、”ＭＯＶＥ”ではないので、転送元装置２内のデータファイルを削除する処理（Ｓ３０６）を行わない。
【０１００】
尚、ここでは転送元装置２と転送先装置３を別のものとして説明したが、両方の機能を統合した装置であってもよい。
【０１０１】
尚、ここでは転送するデータとしてファイルの場合について説明したが、ファイルでなくてもデータであれば同様である。
【０１０２】
また、転送情報ファイルの内容についても、必ずしもファイルに記録する必要はなく、記憶媒体１内に何らかの形で記録されれば他の記録方法でも同様である。
【０１０３】
尚、秘匿性の高いデータの場合には、データを暗号化するなどして秘匿性を確保するなどしてもよい。
【０１０４】
また、ここでは転送元装置２や転送先装置３へ記憶媒体が接続された場合に自動的に処理を開始するとして説明したが、「処理をしますか？」などとユーザへ確認してから以降の処理を行ってもよい。
【０１０５】
また、ここでは記憶媒体１内に記録された転送情報ファイル内の値を、転送元装置２又は転送先装置３へ読み出して比較などするよう説明したが、ＩＣカードなどを用いて比較値を記憶媒体１へ送り、記憶媒体１内で比較処理などを行わせてもよい。
【０１０６】
実施の形態２．
実施の形態１では、転送元装置から転送先装置へ転送情報ファイルを用いてデータファイルを移動する方法について説明したものであるが、実施の形態２では転送元装置から転送先装置へデータファイルをコピーする場合にその記録が転送元装置へ残るようにする実施形態を示す。
【０１０７】
実施の形態２におけるデータ転送システムの構成は、実施の形態１の図１と同様であり、記憶媒体１、転送元装置２、転送先装置３の構成も同様であるので説明を省略する（図２〜図４）。
【０１０８】
本実施の形態２では、転送元装置２から転送先装置３へデータを「コピー」する。この際、転送元装置２でデータのコピー処理の状態が記録されるようにする方法について、以下説明する。
【０１０９】
図１３は、実施の形態２の全体的な動作シーケンスを表したものである。
【０１１０】
まず、転送元装置２が移動対象となるデータファイルを記憶媒体１に書き込む動作（Ｓ１０１〜Ｓ１０５）について、図１４も参照しながら説明する。
【０１１１】
この動作は、実施の形態１で説明した転送元装置２のデータファイルを記憶媒体１に書き込む動作（図６）とほぼ同様であるが、ユーザによるファイル転送操作（Ｓ１０２）と転送情報ファイルの記憶媒体へ書き込み（Ｓ１０４）の内部動作が一部異なり、転送情報ファイルの記憶媒体への書き込み（Ｓ１０４）の後に転送状態記録処理（Ｓ４０１）が追加されている。
【０１１２】
以下、これら異なる点について説明する。
【０１１３】
図１５に、ユーザによるファイル転送操作（Ｓ１０２）の転送元表示操作部２４に表示される画面の例を示す。
【０１１４】
図７とほぼ同様であるが、本実施の形態２ではデータファイルを転送元装置２から転送先装置３へ「コピー」するため、動作種別フィールド１０４に「コピー」が入力されている。
【０１１５】
その後、ユーザにより「実行」ボタン１０５が操作された後（Ｓ１０２）、データファイルを記憶媒体１へ書き込む動作（Ｓ１０３）と、転送情報ファイルを記憶媒体１へ書き込む動作（Ｓ１０４）は実施の形態１と同様であるが、転送情報ファイルの記載内容が一部異なる。
【０１１６】
図１６に実施の形態２における転送情報ファイルの例を示す。
【０１１７】
実施の形態１で説明した転送情報ファイルの例（図９）と同様であるが、本実施の形態２ではデータファイルを転送元装置２から転送先装置３へ「コピー」するため、ＣＯＭＭＡＮＤ項目２０１の値が”ＣＯＰＹ”としている。
【０１１８】
次に、転送元装置２から転送先装置へのデータ転送の状態を記録したデータ転送状態管理ファイルを転送元装置２の転送元記憶部２１内の転送対象データのあるディレクトリに記録する（Ｓ４０１）。このディレクトリ構造を図１７に示す。
【０１１９】
図１７において”ｔｒａｎｓｆｅｒ．ｉｎｆ”ファイルがデータ転送状態管理ファイルであり、このデータ転送状態管理ファイルは転送対象となるデータファイル（この例では”ｄａｔａ１．ｄａｔ”）と同じディレクトリに配置され、ディレクトリ内の各ファイルについて転送状態を管理する。
【０１２０】
このデータ転送の状態を記録したデータ転送状態管理ファイルの例を図１８に示す。
【０１２１】
図１８において、ＦＩＬＥＮＡＭＥ項目３０１、ＳＴＡＴＵＳ項目３０２、ＤＥＳＴＩＮＡＴＩＯＮＤＥＶＩＣＥ項目３０３が一組になっており、ディレクトリ内の他のファイルについて記述する場合は空行で区切って記録される。
【０１２２】
ＦＩＬＥＮＡＭＥ項目３０１は転送対象となるデータファイルの名前を示している。
【０１２３】
本実施の形態２においては、データ転送状態管理ファイルは、置かれているディレクトリにあるファイルのみを対象としているのでディレクトリ名は省略されている。
【０１２４】
ＳＴＡＴＵＳ項目３０２は、転送ステータスとして、現在のデータ転送の状態を示す。Ｓ４０１の段階では転送するためデータファイルを記憶媒体１へ書き込んだ状態であり、転送先装置３への「コピー」処理の途中であるので”ＣＯＰＹＩＮＧ”となっている。
【０１２５】
ＤＥＳＴＩＮＡＴＩＯＮＤＥＶＩＣＥ項目３０３は、データファイルの転送先装置３の装置ＩＤを示している。
【０１２６】
このように、データ転送処理時にデータ転送状態管理ファイルにデータ転送の状態を記録することで、データ転送処理の状態を転送元装置２で把握すること可能となる。
【０１２７】
図１９に転送元記憶部２１内のファイルをデータ転送状態とともに表示する画面の例を示す。
【０１２８】
図１９において、ディレクトリ名フィールド４０１はファイル名一覧４０２に表示されているファイルのディレクトリ名を表示するフィールドである。
【０１２９】
ファイル名一覧４０２はディレクトリ名フィールド４０１で示されるディレクトリ内のファイルを表示するテーブルである。
【０１３０】
ファイル名列４０３はディレクトリ内のファイル名を表示する。
【０１３１】
状態列４０４はデータ転送の状態を表示する列であり、これはデータ転送状態管理ファイル（ｔｒａｎｓｆｅｒ．ｉｎｆ）ファイルからファイル名列４０３のファイル名に一致するＦＩＬＥＮＡＭＥ項目３０１を検索し、一致したＦＩＬＥＮＡＭＥ項目３０１に対応するＳＴＡＴＵＳ項目３０２の値を表示したものである。
【０１３２】
転送先列４０５はデータ転送先装置を表示する列であり、これはデータ転送状態管理ファイル（ｔｒａｎｓｆｅｒ．ｉｎｆ）ファイルからファイル名列４０３のファイル名に一致するＦＩＬＥＮＡＭＥ項目３０１を検索し、一致したＦＩＬＥＮＡＭＥ項目３０１に対応するＤＥＳＴＩＮＡＴＩＯＮＤＥＶＩＣＥ項目３０３の値を表示したものである。
【０１３３】
この例では、”ｄａｔａ１．ｄａｔ”ファイルが転送先装置”ＢＢ９８７６５”へ「コピー中」であることが表示されている。
【０１３４】
このように、データ転送処理の状態をデータ転送状態管理ファイルに記録しておくことで、記憶媒体１を介したデータ転送を行う場合に、転送元装置２でデータ転送の状態を把握することができる。
【０１３５】
次に、記憶媒体１を転送先装置３へ接続しデータファイルを転送先装置３へ書き込む動作は、実施の形態１（図１０、Ｓ２０１〜Ｓ２０７）と同様であるので説明を省略するが、この結果記憶媒体１へ書き込まれる転送情報ファイルの例を図２０に示す。
【０１３６】
図２０は、図１６に対し転送先装置でＲＥＳＵＬＴ項目の値を”ＳＵＣＣＥＳＳ”として追加されており、この動作は実施の形態１と同様である。
【０１３７】
次に、記憶媒体１を再び転送元装置２へ接続し、転送元装置２が記憶媒体１の転送情報ファイルに追加された転送結果を読み込む動作（Ｓ３０１〜Ｓ３０８）について、図２１も参照しながら説明する。
【０１３８】
この動作は、実施の形態１で説明した記憶媒体１を再び転送元装置２へ接続し、転送元装置２が記憶媒体１から転送結果を読み込む動作（図１２）とほぼ同様であるが、「コピー」動作であるためＳ３０５における判断が異なり、転送元装置内のデータファイルを削除する処理（Ｓ３０６）は行わないことと、転送状態記録処理（Ｓ４０２）が追加されているので、以下これら異なる点について説明する。
【０１３９】
転送情報ファイルのＣＯＭＭＡＮＤ項目をチェックする処理（Ｓ３０５）において、実施の形態２においては図２１の例に示すようにＣＯＭＭＡＮＤ項目２０１は”ＣＯＰＹ”のため、転送状態記録処理（Ｓ４０２）に分岐する。
【０１４０】
この転送状態記録処理（Ｓ４０２）では、転送元記憶部２１内の転送状態管理ファイル（”ｔｒａｎｓｆｅｒ．ｉｎｆ”）を更新し、転送情報ファイルのＳＯＵＲＣＥＦＩＬＥ項目２０２に対応するデータ転送状態管理ファイルのＳＴＡＴＵＳ項目を”ＣＯＰＹＥＤ”に変更する。
【０１４１】
更新後の転送状態管理ファイルを図２２に示す。
【０１４２】
図１８に対し、ＳＴＡＴＵＳ項目３０２の値が、転送ステータスとして、”ＣＯＰＹＥＤ”となっている。
【０１４３】
この図２２の転送状態管理ファイルの例の状態で、転送元記憶部２１内のファイルをデータ転送状態とともに表示した場合の画面の例を図２３に示す。
【０１４４】
図１９に対し、ファイル名”ｄａｔａ１．ｄａｔ”に対応する状態列の値４０４が”ＣＯＰＹＥＤ”になっている。
【０１４５】
この例では、”ｄａｔａ１．ｄａｔ”ファイルが転送先装置”ＢＢ９８７６５”へ「コピー済」であることが表示されている。
【０１４６】
このように、本実施の形態に係るデータ転送システムは、転送元装置で、転送元装置上で転送のためデータを記憶媒体に書き込むとともに、転送元記憶部に「データ転送中」であることを記録することを特徴とする。
【０１４７】
また、転送元装置で、転送先装置での処理結果を記憶媒体から読み込みその処理結果に応じて、転送元記憶部に「データ転送済」であることを記録することを特徴とする。
【０１４８】
以上のように、本実施の形態２によれば、転送元装置２が記憶媒体１へ転送するファイルを書き込むとともに、転送元装置２の転送元記憶部２１に前記ファイルが「コピー中」であることを記録するので、転送元装置２上で「コピー中」のファイルが識別できる。また、記憶媒体１に記録された転送情報ファイルの結果によって、転送元装置２は転送したファイルが「コピー済」であることを記録するので、転送元装置２上で「コピー済」のファイルを識別することができる。「コピー済」のファイルが識別可能であることにより、例えば後のユーザ操作により「コピー済」のファイルのみを削除するなどの操作が容易になる。
【０１４９】
尚、本実施の形態２では、ファイルを「コピー」動作の場合について説明したが、「移動」動作の場合には「移動中」や「移動済」などの状態を記録してもよい。
【０１５０】
尚、本実施の形態２では、「コピー中」と「コピー済」の２段階の情報をデータ転送中状態管理ファイルに記録するよう説明したがどちらか一方でもよい。
【図面の簡単な説明】
【０１５１】
【図１】実施の形態１における記憶媒体を介したファイル転送システムの構成図である。
【図２】実施の形態１における転送元装置２及び転送先装置３のハードウェア構成を示す図である。
【図３】実施の形態１における転送元装置２の機能ブロック図である。
【図４】実施の形態１における転送先装置３の機能ブロック図である。
【図５】実施の形態１の全体的な動作シーケンスである。
【図６】実施の形態１において記憶媒体１を転送元装置２へ接続し、転送元装置２でデータ転送操作を行う処理のフローチャートである。
【図７】実施の形態１における転送元装置２のデータ転送操作の画面例である。
【図８】実施の形態１における転送元装置２上で転送対象ファイルを書き込んだ後の記憶媒体１内のディレクトリ構造の例を表す図である。
【図９】実施の形態１における転送情報ファイルの例である。
【図１０】実施の形態１において記憶媒体１を転送先装置３に接続した際のフローチャートである。
【図１１】実施の形態１における転送先装置３での処理後の転送情報ファイルの例である。
【図１２】実施の形態１において記憶媒体１を再び転送元装置２へ接続し、転送元装置２で転送結果読み込み処理を行うフローチャートである。
【図１３】実施の形態２の全体的な動作シーケンスである。
【図１４】実施の形態２において記憶媒体１を転送元装置２へ接続し、転送元装置２でデータ転送操作を行う処理のフローチャートである。
【図１５】実施の形態２における転送元装置２のデータ転送操作の画面例である。
【図１６】実施の形態２における転送情報ファイルの例である。
【図１７】実施の形態２におけるデータ転送状態管理ファイルを記録したディレクトリ構造の例である。
【図１８】実施の形態２におけるデータ転送状態管理ファイルの例である。
【図１９】実施の形態２における転送元記憶部２１内のファイルをデータ転送状態とともに表示する画面の例である。
【図２０】実施の形態２における転送先装置３での処理後の転送情報ファイルの例である。
【図２１】実施の形態２において記憶媒体１を再び転送元装置２へ接続し、転送元装置２で転送結果読み込み処理を行うフローチャートである。
【図２２】実施の形態２における転送処理完了後のデータ転送状態管理ファイルの例である。
【図２３】実施の形態２における転送処理完了後の転送元記憶部２１内のファイルをデータ転送状態とともに表示する画面の例である。
【符号の説明】
【０１５２】
１  記憶媒体、２  転送元装置、３  転送先装置、２１  転送元記憶部、２２  転送元記憶媒体インタフェース部、２３  転送元コントロール部、２４  転送元表示操作部、２５  転送元装置ＩＤ部、３１  転送先記憶部、３２  転送先記憶媒体インタフェース部、３３  転送先コントロール部、３４  転送先表示操作部、３５  転送先装置ＩＤ部、４１  システムバス、４２  ＣＰＵ、４３  ＲＡＭ、４４  ハードディスクドライブ、４５  記憶媒体インタフェース、４６  表示装置、４７  入力インタフェース。
【図６】
2007102437.tif 000003
【図１】
2007102437.tif 000004
【図２】
2007102437.tif 000005
【図３】
2007102437.tif 000006
【図４】
2007102437.tif 000007
【図５】
2007102437.tif 000008
【図７】
2007102437.tif 000009
【図８】
2007102437.tif 000010
【図９】
2007102437.tif 000011
【図１０】
2007102437.tif 000012
【図１１】
2007102437.tif 000013
【図１２】
2007102437.tif 000014
【図１３】
2007102437.tif 000015
【図１４】
2007102437.tif 000016
【図１５】
2007102437.tif 000017
【図１６】
2007102437.tif 000018
【図１７】
2007102437.tif 000019
【図１８】
2007102437.tif 000020
【図１９】
2007102437.tif 000021
【図２０】
2007102437.tif 000022
【図２１】
2007102437.tif 000023
【図２２】
2007102437.tif 000024
【図２３】
2007102437.tif 000025